(57)【要約】【課題】蓋体の開閉作業性を損なうことなく、高温側の区画から低温側の区画への空気の移動を抑制することができる多温度帯容器を得ること。【解決手段】本発明の多温度帯容器１は、容器本体２の内部を温度の異なる複数の区画に区分可能なものであり、容器本体２と蓋体３とを有する。そして、容器本体２は、容器本体２の内部に立設されて互いに隣り合う高温側の区画Ｒｈと低温側の区画Ｒｃとの間に介在される隔壁１２と、隔壁１２の上端面１３に凸設されて少なくとも一部が高温側の区画Ｒｈと低温側の区画Ｒｃの間に沿って延在する凸条部３１を有する。そして、蓋体３は、蓋体３の下面に凹設されて凸条部３１が挿入される凹溝部４１を有し、凹溝部４１の溝深さｈ２が凸条部３１の突出高さｈ１よりも深くなっている。【選択図】図１
2015189477.tif 000002
【特許請求の範囲】
【請求項１】
容器本体と蓋体とを有し、前記容器本体の内部を温度の異なる複数の区画に区分可能な多温度帯容器であって、
前記容器本体は、該容器本体の内部に立設されて互いに隣り合う高温側の区画と低温側の区画との間に介在される隔壁と、該隔壁の上端面に凸設されて少なくとも一部が前記高温側の区画と前記低温側の区画との間に沿って延在する凸条部とを有し、
前記蓋体は、該蓋体の下面に凹設されて前記凸条部が挿入される凹溝部を有し、該凹溝部の溝深さが前記凸条部の突出高さよりも深いことを特徴とする多温度帯容器。
【請求項２】
前記凸条部は、前記隔壁の上端面に凸設される第１凸条部と、前記第１凸条部に連続して前記容器本体の上面でかつ一方の区画の周囲に沿って凸設される第２凸条部を有し、
前記凹溝部は、前記蓋体の下面でかつ前記隔壁の上端面に対向する対向面に凹設されて前記第１凸条部が挿入される第１凹溝部と、前記蓋体の下面でかつ前記容器本体の上面に対向する対向面に凹設されて前記第２凸条部が挿入される第２凹溝部を有することを特徴とする請求項１に記載の多温度帯容器。
【請求項３】
前記凸条部は、前記第１凸条部に連続して前記容器本体の上面でかつ他方の区画の周囲に沿って凸設される第３凸条部を有し、
前記凹溝部は、前記蓋体の下面でかつ前記容器本体の上面に対向する対向面に凹設されて前記第３凸条部が挿入される第３凹溝部を有することを特徴とする請求項２に記載の多温度帯容器。
【請求項４】
前記凸条部は、断面が半円形状を有することを特徴とする請求項１から請求項３のいずれか一項に記載の多温度帯容器。
【請求項５】
前記凹溝部は、断面が半楕円形状を有することを特徴とする請求項１から請求項４のいずれか一項に記載の多温度帯容器。
【発明の詳細な説明】
【技術分野】
【０００１】
本発明は、１つの容器内に温度の異なる２以上の区画を有する多温度帯容器に関する。
【背景技術】
【０００２】
特許文献１には、容器本体内が隔壁によって左右に分割されて高温側の区画と低温側の区画に区分され、容器本体の上に蓋体を被せることによって、左右の２つの区画がそれぞれ封止される保冷容器の構造が示されている。
【先行技術文献】
【特許文献】
【０００３】
【特許文献１】特開２００５−１０４５６７号公報
【発明の概要】
【発明が解決しようとする課題】
【０００４】
例えば、隔壁の上端面と蓋体との間に隙間が存在すると、その隙間を通過して高温側の区画内の空気が隣の低温側の区画内に移動し、低温側の区画の温度が上昇するおそれがある。特許文献１に示されるように、隔壁と蓋体にそれぞれ嵌合用凸部と嵌合用凹部を設けて互いに嵌合させ密着させる構造にすると、隙間の発生は抑制できるが、容器本体に蓋体が強固に結合されてしまう。したがって、容器本体に蓋体を取り付ける作業及び容器本体から蓋体を取り外す作業を行う際に、余計な力が必要となり、開閉作業性が損なわれ、容器としての使い勝手が悪化するおそれがある。
【０００５】
本発明は、上記の点に鑑みてなされたものであり、その目的とするところは、蓋体の開閉作業性を損なうことなく、高温側の区画から低温側の区画への空気の移動を抑制することができる多温度帯容器を提供することである。
【課題を解決するための手段】
【０００６】
上記課題を解決する本発明の多温度帯容器は、容器本体と蓋体とを有し、容器本体の内部を温度の異なる複数の区画に区分可能な多温度帯容器であって、容器本体は、容器本体の内部に立設されて互いに隣り合う高温側の区画と低温側の区画との間に介在される隔壁と、隔壁の上端面に凸設されて少なくとも一部が高温側の区画と低温側の区画との間に沿って延在する凸条部とを有し、蓋体は、蓋体の下面に凹設されて凸条部が挿入される凹溝部を有し、凹溝部の溝深さが凸条部の突出高さよりも深いことを特徴とする。
【０００７】
本発明によれば、容器本体に蓋体を被せた状態で、凹溝部内にて凸条部との間に高さ方向の間隙部を形成することができる。したがって、隔壁の上端面と蓋体の下面との間に隙間が形成された場合に、その隙間を通過して高温側の区画から低温側の区画に向かって移動する高温の空気を、間隙部に流入させて間隙部の上部に滞留させることができる。そして、間隙部内で温度の低下により間隙部の下部に移動した低温の空気を低温側の区画に流れ込ませることができる。したがって、高温側の区画から低温側の区画に高温の空気が直接流れ込むのを抑制し、高温の空気によって低温側の区画の温度が上昇するのを防ぎ、各区画の温度状態を長期に亘って保つことができ、高い保温保冷効果を得ることができる。
【０００８】
本発明の多温度帯容器は、凸条部が隔壁の上端面に凸設される第１凸条部と、第１凸条部に連続して容器本体の上面でかつ一方の区画の周囲に沿って凸設される第２凸条部を有し、凹溝部が隔壁の上端面に対向する対向面に凹設されて第１凸条部が挿入される第１凹溝部と、容器本体の上面に対向する対向面に凹設されて第２凸条部が挿入される第２凹溝部を有することが好ましい。
【０００９】
本発明によれば、低温側の区画と高温側の区画との間だけでなく、一方の区画と外部との間にも間隙部が設けられる。したがって、高温側の区画から低温側の区画への高温空気の流れ込みを防ぐと共に、外部から一方の区画への高温空気の流れ込みや、一方の区画から外部への高温空気の流れ出しも防ぐことができる。したがって、一方の区画は、区画の温度状態を長期に亘って保つことができ、より高い保冷効果を得ることができる。
【００１０】
本発明の多温度帯容器は、凸条部が第１凸条部に連続して容器本体の上面でかつ他方の区画の周囲に沿って凸設される第３凸条部を有し、凹溝部が容器本体の上面に対向する対向面に凹設されて第３凸条部が挿入される第３凹溝部を有することが好ましい。本発明によれば、低温側の区画と高温側の区画との間だけでなく、他方の区画と外部との間にも間隙部が設けられる。したがって、高温側の区画から低温側の区画への高温空気の流れ出しを防ぐと共に、外部から他方の区画への高温空気の流れ込みや、他方の区画から外部への高温空気の流れ出しも防ぐことができる。したがって、他方の区画は、区画の温度状態を長期に亘って保つことができ、より高い保温効果を得ることができる。
【００１１】
本発明の多温度帯容器は、前記第１の凸条部の断面が半円形状を有することが好ましい。本発明によれば、蓋体を容器本体に被せる際に第１の凸条部を第１の凹溝に円滑に案内して挿入することができ、蓋閉め作業をより容易化できる。
【００１２】
本発明の多温度帯容器は、前記第１の凹溝部の断面が半楕円形状を有することが好ましい。本発明によれば、蓋体を容器本体に被せる際に第１の凸条部を第１の凹溝に円滑に案内して挿入することができ、蓋閉め作業を容易にすることができる。そして、間隙部に高温の空気を円滑に導入して滞留させ、温度が低下した空気を円滑に導出させることができる。
【発明の効果】
【００１３】
本発明によれば、凸条部の突出高さよりも凹溝部の溝深さの方が深いので、容器本体に蓋体を被せた状態で、凹溝部内には凸条部との間に高さ方向の間隙部が形成される。したがって、隔壁の上端面と蓋体の下面との間に隙間が形成されて、かかる隙間を通過して高温側の区画から低温側の区画に高温の空気が移動しようとした場合に、高温の空気を間隙部に流入させて間隙部の上部に滞留させることができる。そして、間隙部内で温度の低下により間隙部の下部に移動した空気を低温側の区画に流れ込ませることができる。したがって、高温側の区画から低温側の区画に高温の空気が直接流れ込むのを抑制し、低温側の区画の温度が上昇するのを防ぐことができる。したがって、各区画の温度状態を長期に亘って保つことができ、高い保温保冷効果を得ることができる。
【図面の簡単な説明】
【００１４】
【図１】第１実施の形態に係わる多温度帯容器の一例を示す斜視図。
【図２】第１実施の形態に係わる多温度帯容器の構成を模式的に示す断面図。
【図３】他の実施例を示す部分拡大図。
【図４】第２実施の形態に係わる多温度帯容器の一例を示す斜視図。
【図５】第２実施の形態に係わる多温度帯容器の構成を模式的に示す断面図。
【図６】第３実施の形態に係わる多温度帯容器の一例を示す斜視図。
【図７】第３実施の形態に係わる多温度帯容器の構成を模式的に示す断面図。
【図８】第４実施の形態に係わる多温度帯容器の一例を示す斜視図。
【図９】第４実施の形態に係わる多温度帯容器の構成を模式的に示す断面図。
【図１０】凸条部が凹溝部に挿入された状態を説明する断面図。
【図１１】凸条部の他の構成例を示す断面図。
【図１２】図１１に示す各凸条部が凹溝部に挿入された状態を説明する断面図。
【図１３】比較例を示す断面図。
【発明を実施するための形態】
【００１５】
次に、本発明の実施の形態について図面を用いて説明する。
［第１実施の形態］
図１は、第１実施の形態に係わる多温度帯容器の一例を示す斜視図、図２は、第１実施の形態に係わる多温度帯容器の構成を模式的に示す断面図ある。
【００１６】
多温度帯容器１は、図１及び図２に示すように、容器本体２と蓋体３とを有しており、それぞれが断熱構造を有している。多温度帯容器１は、例えば中空体の内部にポリウレタン系樹脂などの断熱材が充填された構造体や、ポリスチレン系樹脂やポリオレフィン系樹脂の発泡体を使用することができる。多温度帯容器１は、例えばご飯や温スープ等の比較的高温の食材を保温した状態でそれぞれ収容すると共に、冷たいサラダやデザートなどの比較的低温の食材を保冷した状態で収容するなど、収容物を保温及び保冷する保温保冷容器に適用することができる。
【００１７】
容器本体２は、一定の高さで平面状に拡がる矩形形状を有している。そして、容器本体２の内部には隔壁１２が立設されている。隔壁１２は、容器本体２の内部を２つの領域に横並びに仕切り、容器本体２の内部に互いに隣り合う２つの収容部１１Ａ、１１Ｂを形成している。収容部１１Ａ、１１Ｂは、それぞれが容器本体２の上面２ａに開口しており、収容部１１Ａが比較的高温の収容物を保温した状態で収容する保温区画Ｒｈ（高温側の区画）として設定され、収容部１１Ｂが比較的低温の収容物を保冷した状態で収容する保冷区画Ｒｃ（低温側の区画）として設定されている。なお、収容部１１Ａを保冷区画Ｒｃとし、収容部１１Ｂを保温区画Ｒｈとしてもよい。
【００１８】
隔壁１２は、容器本体２と同様の断熱構造を有しており、本実施の形態では、容器本体２と一体に形成されている。隔壁１２は、容器本体２の上面２ａと面一となる上端面１３を有している。隔壁１２の上端面１３には、凸条部３１が凸設されている。凸条部３１は、収容部１１Ａの開口と収容部１１Ｂの開口と間に沿って延在しており、断面が半円形状を有している。容器本体２の上面２ａの外周端縁には、上面２ａよりも一段低い段差面１５が全周に亘って連続して形成されている。
【００１９】
蓋体３は、一定の板厚で平面状に拡がる平板形状を有しており、容器本体２の上に載せた場合に、蓋体３の下面２１が容器本体２の上面２ａに対向して当接し、蓋体３の外周面が容器本体２の外周面と上下に面一に連続する形状を有する。
【００２０】
蓋体３の下面２１には、容器本体２の凸条部３１が挿入される凹溝部４１が凹設されている。凹溝部４１は、蓋体３の下面２１のうち、隔壁１２の上端面１３に対向する対向面２１ａに凹設されている。凹溝部４１は、その溝深さｈ２が凸条部３１の突出高さｈ１よりも深い半楕円形状を有しており、最大幅Ｗ２は、凸条部３１の最大幅ｗ１よりも若干大きく形成されている。凹溝部４１は、容器本体２の上に蓋体３を載せた際に、凸条部３１が凹溝部４１内に完全に入り込み、隔壁１２の上端面１３に蓋体３の下面２１が当接し、凹溝部４１内で凸条部３１との間に高さ方向の間隙部Ｓを形成する。
【００２１】
図１０は、凸条部が凹溝部に挿入された状態を説明する断面図である。凸条部３１の寸法は、幅ｗ１が１ｍｍ〜２０ｍｍ、高さｈ１が０．５ｍｍ〜１０ｍｍが好ましく、さらに、幅ｗ１が４ｍｍ〜８ｍｍ、高さｈ１が２ｍｍ〜４ｍｍがより好ましい。凹溝部４１の幅ｗ２は、凸条部３１の幅ｗ１に対して＋０ｍｍ〜＋８ｍｍだけ大きいことが好ましく、さらに、＋０ｍｍ〜＋２ｍｍだけ大きいことがより好ましい。間隙部Ｓは、高さ方向に体積が大きい方が空気の対流が生じやすく、間隙部Ｓの高さｈ３は、凸条部３１の頂部と凹溝部４１の最深部との離間距離として定義され、０．５ｍｍ〜３０ｍｍが好ましく、さらに、２ｍｍ〜１２ｍｍがより好ましい。本実施の形態では、凸条部３１と凹溝部４１について上記した各寸法の上限を超えてしまうと、容器本体２の寸法や壁の肉厚が極端に大きくなってしまうおそれがある。また、各寸法の下限を越えてしまうと、凸条部３１を凹溝部４１に完全に挿入した状態にすることができない。
【００２２】
蓋体３の下面２１には、突起２２、２３が設けられている。突起２３は、容器本体２の上に蓋体３を載せた際に収容部１１Ａ、１１Ｂの開口にそれぞれ挿入されてシールする。突起２２は、蓋体３の外周縁部から突出して容器本体２の段差面１５と当接する。
【００２３】
上記構成を有する多温度帯容器１は、蓋体３を容器本体２の上に載せることにより、容器本体２の隔壁１２の上端面１３を、蓋体３の下面２１に対向させて、隔壁１２の凸条部３１を蓋体３の下面２１の凹溝部４１に挿入し、凹溝部４１内で凸条部３１との間に高さ方向の間隙部Ｓ（図２を参照）を形成することができる。したがって、例えば隔壁１２の上端面１３と蓋体３の下面２１との間に隙間が形成された場合に、その隙間を通過して、保温区画Ｒｈである収容部１１Ａから保冷区画Ｒｃである収容部１１Ｂに向かって移動する高温の空気を、凹溝部４１内の間隙部Ｓに一旦流入させて間隙部Ｓの上部に滞留させることができる。そして、間隙部Ｓ内で温度の低下により間隙部Ｓの下部に移動した空気を収容部１１Ｂに流れ込ませることができる。したがって、収容部１１Ａから収容部１１Ｂに高温の空気が直接流れ込むのを抑制し、高温の空気によって収容部１１Ｂ内の低温の収容物が温められてしまうのを防ぐことができる。
【００２４】
本発明の多温度帯容器１によれば、凸条部３１が低温側の保冷区画Ｒｃと高温側の保温区画Ｒｈとの間、すなわち、収容部１１Ａと収容部１１Ｂとの間に介在される隔壁１２の上端面１３に凸設されて、収容部１１Ａ側と収容部１１Ｂ側に仕切るように延在している。収容部１１Ａと収容部１１Ｂとの間は、高温の空気の移動が発生しやすい箇所であり、かかる箇所に凸条部３１と凹溝部４１を設けて間隙部Ｓを形成することにより、高温の空気の流れ込みをより積極的に防ぐことができ、高い保温保冷効果を得ることができる。
【００２５】
図１３は、比較例を示す断面図である。
比較例である容器１０１は、図１３に示すように、隔壁１２の上端面１３と、対向する蓋体３の対向面２１ａとがそれぞれ平面形状を有しており、隔壁１２の上端面１３及び蓋体３の下面２１には、凸条部３１及び凹溝部４１が設けられていない。したがって、例えば隔壁１２の上端面１３と蓋体３の下面２１の対向面２１ａとの間に隙間が形成された場合には、その隙間を通過して、高温側の区画である保温区画Ｒｈから低温側の区画である保冷区画Ｒｃに高温の空気が流れ込み、保冷区画Ｒｃ内の保冷が損なわれるおそれがある。
【００２６】
これに対して、本発明の多温度帯容器１は、図１に示すように、隔壁１２の上端面１３に凸条部３１が凸設され、蓋体３の下面２１に凹溝部４１が凹設されており、容器本体２の上に蓋体３を載せることによって凹溝部４１内に凸条部３１が挿入されて、凹溝部４１内に高さ方向に間隙部Ｓが形成される。したがって、例えば隔壁１２の上端面１３と蓋体３の下面２１との間に隙間が形成された場合に、その隙間を通過して、保温区画Ｒｈから保冷区画Ｒｃ側に向かって移動してきた高温の空気を、凹溝部４１内の間隙部Ｓに一旦流入させて間隙部Ｓの上部に滞留させることができる。そして、間隙部Ｓ内で温度の低下により間隙部Ｓの下部に移動した空気を隙間から保冷区画Ｒｃに流れ込ませることができる。したがって、保温区画Ｒｈから保冷区画Ｒｃに高温の空気が直接流れ込むのを抑制し、保冷区画Ｒｃが保温区画Ｒｈから流れてくる空気によって温められてしまうのを防ぐことができる。したがって、保温区画Ｒｈから保冷区画Ｒｃへの熱移動を抑えて、各区画の温度状態を長期に亘って保つことができ、高い保温保冷効果を得ることができる。
【００２７】
本発明の多温度帯容器１によれば、凸条部３１は、凹溝部４１内に挿入されているだけであり、蓋体３は、容器本体２の上に単に載せられているだけである。したがって、容器本体２に蓋体３を取り付ける作業及び容器本体２から蓋体３を取り外す作業を簡単に行うことができる。したがって、蓋体３の開閉作業性を損なうことなく、保温区画Ｒｈから保冷区画Ｒｃへの温かい空気の流れ込みを抑制することができ、高い保温保冷効果を得ることができる。
【００２８】
本発明の多温度帯容器１によれば、凸条部３１の断面が半円形状を有しているので、蓋体３を容器本体２に被せる際に凸条部３１を凹溝部４１に円滑に案内して挿入することができ、容器本体２に対する蓋体３の位置決めを自動的に行うことができる。したがって、容器本体２に蓋体３を取り付けて蓋をする蓋閉め作業をより容易化できる。
【００２９】
また、凹溝部４１の断面が半楕円形状を有しているので、同様に、蓋体３を容器本体２に被せる際に凸条部３１を凹溝部４１に円滑に案内して挿入することができ、蓋閉め作業を容易にすることができる。そして、間隙部Ｓに高温の空気を円滑に導入して滞留させ、温度が低下した空気を円滑に導出させることができる。
【００３０】
本実施の形態では、凸条部３１と凹溝部４１が一対をなす場合について説明したが、例えば図３に示すように、複数の凸条部３１と凹溝部４１をそれぞれ平行に並べて設けてもよく、かかる構成により、保温区画Ｒｈから保冷区画Ｒｃへの高温の空気の流れ込みをさらに抑制し、保冷区画Ｒｃの温度上昇を防ぐことができる。
【００３１】
また、凸条部３１及び凹溝部４１の断面形状は、上述の実施の形態で説明した形状に限定されるものではなく、容器本体２の上に蓋体３を載せた際に、凸条部３１が凹溝部４１内に完全に入り込み、隔壁１２の上端面１３に蓋体３の下面２１が当接し、凹溝部４１内で凸条部３１との間に高さ方向の間隙部Ｓを形成することができるものであればよく、例えば、凸条部３１及び凹溝部４１の少なくとも一方の断面形状が矩形形状であってもよい。
【００３２】
図１１は、凸条部の他の構成例を示す断面図、図１２は、図１１に示す各凸条部が凹溝部に挿入された状態を説明する断面図である。
【００３３】
上記した実施の形態では、凸条部３１の断面が半円形状を有し、凹溝部４１の断面が半楕円形状を有している場合を例に説明したが、凸条部３１と凹溝部４１との間に間隙部Ｓを形成できればよく、例えば図１１（ａ）〜図１１（ｋ）に示す断面形状を有する凸条部３１Ａ〜３１Ｋと、図１２（ａ）〜図１２（ｋ）に示す断面形状を有する凹溝部４１Ａ〜４１Ｋとをそれぞれ組み合わせてもよい。
【００３４】
なお、上述の実施の形態では、収容部１１Ａが保温区画Ｒｈであり、収容部１１Ｂが保冷区画Ｒｃである場合を例に説明したが、収容部１１Ａを保冷区画Ｒｃとし、収容部１１Ｂを保温区画Ｒｈとしてもよい。
【００３５】
［実験例］
下記の表１は、本発明の実施例の容器１と比較例の容器１０１について行った実験結果を示す表である。
【００３６】
実施例の容器１と比較例の容器１０１は、凸条部３１及び凹溝部４１を有しているか否かだけが異なっており、容器のサイズや材質等は互いに同じものを用いている。実験では、保冷区画Ｒｃに水を５リットル入れ、保温区画Ｒｈにお湯を５リットル入れて、スタート時の温度とスタートから３時間経過後の温度を比較した。
【００３７】
実施例の容器１は、スタートの温度が水８．３℃、お湯８０．３℃であったものが、３時間経過後の温度が水１３．２℃、お湯６２．６℃であった。これに対して、比較例の容器１０１は、スタートの温度が水８．２℃、お湯８０．１℃であったものが、３時間経過後の温度が、水１８．２℃、お湯５４．７℃であった。したがって、実施例の容器１の方が比較例の容器１０１よりも保冷保温の効果が高いことがわかる。
【００３８】
【表１】
2015189477.tif 000003
【００３９】
［第２実施の形態］
図４は、第２実施の形態に係わる多温度帯容器の一例を示す斜視図、図５は、第２実施の形態にかかわる多温度帯容器の構成を模式的に示す断面図である。なお、第１実施の形態と同様の構成要素については、図４及び図５に同一の符号を付することでその詳細な説明を省略する。
【００４０】
本実施の形態において特徴的なことは、保冷区画Ｒｃである収容部１１Ｂの開口を周状に囲むように容器本体２に凸条部３２を凸設し、蓋体３の下面２１に凸条部３２が挿入される凹溝部４２を凹設したことである。
【００４１】
凸条部３２は、隔壁１２の上端面１３に凸設される第１凸条部３２ａと、第１凸条部３２ａに連続して容器本体２の上面２ａでかつ保冷区画（一方の区画）Ｒｃの周囲に沿って凸設される第２凸条部３２ｂを有する。第１凸条部３２ａは、収容部１１Ａと収容部１１Ｂとの間に沿って隔壁１２の長さ方向に亘って一直線状に延在している。第２凸条部３２ｂは、容器本体２の上面２ａに凸設されており、第１凸条部３２ａの両端部に連続して保冷区画Ｒｃの開口を囲むように平面視略コ字状に延在している。
【００４２】
凹溝部４２は、隔壁１２の上端面１３に対向する対向面２１ａに凹設されて第１凸条部３２ａが挿入される第１凹溝部４２ａと、容器本体２の上面２ａに対向する対向面２１ｂに凹設されて第２凸条部３２ｂが挿入される第２凹溝部４２ｂを有する。凹溝部４２は、収容部１１Ｂに挿入される蓋体３の突起２３の周囲に沿うように周状に連続して設けられている。
【００４３】
第１凸条部３２ａと第２凸条部３２ｂは、断面が半円形状を有しており、第１凹溝部４２ａと第２凹溝部４２ｂは、第１凸条部３２ａと第２凸条部３２ｂをそれぞれ挿入可能な寸法の断面半楕円形状を有している。第１凹溝部４２ａと第２凹溝部４２ｂは、容器本体２の上に蓋体３を載せた際に、第１凸条部３２ａと第２凸条部３２ｂが第１凹溝部４２ａと第２凹溝部４２ｂ内に完全に入り込み、隔壁１２の上端面１３と容器本体２の上面２ａに蓋体３の下面２１の対向面２１ａ、２１ｂが接面し、凹溝部４２内で凸条部３２との間に高さ方向の間隙部Ｓを形成する。
【００４４】
本実施の形態における多温度帯容器１によれば、保冷区画Ｒｃである収容部１１Ｂは、保温区画Ｒｈである収容部１１Ａとの間だけでなく、外部との間にも間隙部Ｓが設けられる。したがって、収容部１１Ａからの高温空気の流れ込みを防ぐと共に、外部からの高温空気の流れ込みも防ぐことができる。したがって、保冷区画Ｒｃである収容部１１Ｂは、区画内の温度状態を長期に亘って保つことができ、より高い保冷効果を得ることができる。
【００４５】
なお、上記した実施の形態では、第２凸条部３２ｂを保冷区画（一方の区画）Ｒｃの周囲に沿って凸設した場合を例に説明したが、第２凸条部３２ｂを保温区画（他方の区画）Ｒｈの周囲に沿って凸設してもよい。この構成によれば、保冷区画Ｒｃである収容部１１Ｂと保温区画Ｒｈである収容部１１Ａとの間だけでなく、保温区画Ｒｈと外部との間にも間隙部Ｓが設けられる。したがって、収容部１１Ａから収容部１１Ｂへの高温空気の流れ込みを防ぐと共に、外部から収容部１１Ａへの高温空気の流れ込みや、収容部１１Ａから外部への高温空気の流れ出しも防ぐことができる。したがって、保温区画Ｒｈである収容部１１Ａは、区画内の温度状態を長期に亘って保つことができ、より高い保温効果を得ることができる。
【００４６】
［第３実施の形態］
図６は、第３実施の形態に係わる多温度帯容器の一例を示す斜視図、図７は、第３実施の形態にかかわる多温度帯容器の構成を模式的に示す断面図である。なお、第１及び第２実施の形態と同様の構成要素については、図６及び図７に同一の符号を付することでその詳細な説明を省略する。
【００４７】
本実施の形態において特徴的なことは、保冷区画Ｒｃである収容部１１Ｂと保温区画Ｒｈである収容部１１Ａの開口をそれぞれ周状に囲むように容器本体２に凸条部３３を凸設し、蓋体３の下面２１に凸条部３３が挿入される凹溝部４３を凹設したことである。
【００４８】
凸条部３３は、隔壁１２の上端面１３に凸設される第１凸条部３３ａと、第１凸条部３３ａに連続して容器本体２の上面２ａでかつ保冷区画（一方の区画）Ｒｃの周囲に沿って凸設される第２凸条部３３ｂと、第１凸条部３３ａに連続して容器本体２の上面２ａでかつ保温区画（他方の区画）Ｒｈの周囲に沿って凸設される第３凸条部３３ｃを有する。第１凸条部３３ａは、収容部１１Ａと収容部１１Ｂとの間に沿って隔壁１２の長さ方向に亘って一直線状に延在している。第２凸条部３３ｂは、容器本体２の上面２ａに凸設されており、第１凸条部３２ａの両端部に連続して保冷区画Ｒｃの開口を囲むように平面視略コ字状に延在している。第３凸条部３３ｃは、容器本体２の上面２ａに凸設されており、第１凸条部３２ａの両端部に連続して保温区画Ｒｈの開口を囲むように平面視略コ字状に延在している。
【００４９】
凹溝部４３は、隔壁１２の上端面１３に対向する対向面２１ａに凹設されて第１凸条部３３ａが挿入される第１凹溝部４３ａと、容器本体２の上面２ａに対向する対向面２１ｂに凹設されて第２凸条部３３ｂが挿入される第２凹溝部４３ｂと、容器本体２の上面２ａに対向する対向面２１ｂに凹設されて第３凸条部３３ｃが挿入される第３凹溝部４３ｃを有する。凹溝部４３は、収容部１１Ａと収容部１１Ｂにそれぞれ挿入される蓋体３の突起２３の周囲に沿うように周状に連続して設けられている。
【００５０】
第１凸条部３３ａと第２凸条部３３ｂと第３凸条部３３ｃは、断面が半円形状を有しており、第１凹溝部４３ａと第２凹溝部４３ｂと第３凹溝部４３ｃは、第１凸条部３２ａと第２凸条部３２ｂをそれぞれ挿入可能な寸法の断面半楕円形状を有している。第１凹溝部４３ａと第２凹溝部４３ｂと第３凹溝部４３ｃは、容器本体２の上に蓋体３を載せた際に、第１凸条部３３ａと第２凸条部３３ｂと第３凸条部３３ｃが第１凹溝部４３ａと第２凹溝部４３ｂと第３凹溝部４３ｃ内に完全に入り込み、隔壁１２の上端面１３と容器本体２の上面２ａに蓋体３の下面２１の対向面２１ａ、２１ｂが接面し、凹溝部４２内で凸条部３２との間に高さ方向の間隙部Ｓを形成する。
【００５１】
本実施の形態における多温度帯容器１によれば、保温区画Ｒｈである収容部１１Ａは、保冷区画Ｒｃである収容部１１Ｂとの間だけでなく、外部との間にも間隙部Ｓが設けられる。したがって、収容部１１Ｂへの高温空気の流れ出しを防ぐと共に、外部への高温空気の流れ出しも防ぐことができる。したがって、保冷区画Ｒｃである収容部１１Ｂは、区画内の温度状態を長期に亘って保つことができ、保温区画Ｒｈである収容部１１Ａは、区画内の温度状態を長期に亘って保つことができ、より高い保温保冷効果を得ることができる。
【００５２】
上述の実施の形態では、収容部１１Ａが保温区画Ｒｈであり、収容部１１Ｂが保冷区画Ｒｃである場合を例に説明したが、収容部１１Ａを保冷区画Ｒｃとし、収容部１１Ｂを保温区画Ｒｈとしてもよい。
【００５３】
［第４実施の形態］
図８は、第４実施の形態に係わる多温度帯容器の一例を示す斜視図、図９は、第４実施の形態にかかわる多温度帯容器の構成を模式的に示す断面図である。なお、第１〜第３実施の形態と同様の構成要素については、図８及び図９に同一の符号を付することでその詳細な説明を省略する。
【００５４】
本実施の形態において特徴的なことは、保冷区画Ｒｃである収容部１１Ｂと保温区画Ｒｈである収容部１１Ａの開口をそれぞれ周状に囲むように容器本体２に２つの凸条部３４、３５を凸設し、蓋体３の下面２１に、凸条部３４が挿入される凹溝部４４と、凸条部３５が挿入される凹溝部４５を凹設したことである。
【００５５】
凸条部３４は、隔壁１２の上端面１３に凸設される一方の第１凸条部３４ａと、一方の第１凸条部３４ａに連続して容器本体２の上面２ａでかつ保冷区画（一方の区画）Ｒｃの周囲に沿って凸設される第２凸条部３４ｂを有する。凸条部３５は、隔壁１２の上端面１３に凸設される他方の第１凸条部３５ａと、他方の第１凸条部３５ａに連続して容器本体２の上面２ａでかつ保温区画（他方の区画）Ｒｈの周囲に沿って凸設される第３凸条部３５ｂを有する。
【００５６】
一方の第１凸条部３４ａと他方の第１凸条部３５ａは、それぞれ収容部１１Ａと収容部１１Ｂとの間に沿って隔壁１２の長さ方向に亘って一直線状に延在している。第２凸条部３４ｂは、容器本体２の上面２ａに凸設されており、一方の第１凸条部３４ａの両端部に連続して保冷区画Ｒｃの開口を囲むように平面視略コ字状に延在している。第３凸条部３５ｂは、容器本体２の上面２ａに凸設されており、他方の第１凸条部３５ａの両端部に連続して保温区画Ｒｈの開口を囲むように平面視略コ字状に延在している。
【００５７】
凹溝部４４は、隔壁１２の上端面１３に対向する対向面２１ａに凹設されて一方の第１凸条部３４ａが挿入される第１凹溝部４４ａと、容器本体２の上面２ａに対向する対向面２１ｂに凹設されて第２凸条部３４ｂが挿入される第２凹溝部４４ｂを有する。そして、凹溝部４５は、隔壁１２の上端面１３に対向する対向面２１ａに凹設されて他方の第１凸条部３５ａが挿入される第１凹溝部４５ａと、容器本体２の上面２ａに対向する対向面２１ｂに凹設されて第３凸条部３５ｂが挿入される第３凹溝部４５ｂを有する。凹溝部４４、４５は、収容部１１Ａと収容部１１Ｂにそれぞれ挿入される蓋体３の突起２３の周囲に沿うようにそれぞれ周状に連続して設けられている。
【００５８】
凸条部３４、３５は、断面が半円形状を有しており、凹溝部４４、４５は、凸条部３４、３５をそれぞれ挿入可能な寸法の断面半楕円形状を有している。凹溝部４４、４５は、容器本体２の上に蓋体３を載せた際に、凸条部３４、３５が凹溝部４４、４５内に完全に入り込み、隔壁１２の上端面１３と容器本体２の上面２ａに蓋体３の下面２１の対向面２１ａ、２１ｂが接面し、凹溝部４４、４５内で凸条部３４、３５との間に高さ方向の間隙部Ｓを形成する。
【００５９】
本実施の形態における多温度帯容器１によれば、保温区画Ｒｈである収容部１１Ａは、保冷区画Ｒｃである収容部１１Ｂとの間だけでなく、外部との間にも間隙部Ｓが設けられる。そして、保冷区画Ｒｃである収容部１１Ｂは、保温区画Ｒｈである収容部１１Ａとの間だけでなく、外部との間にも間隙部Ｓが形成される。そして、収容部１１Ａと１１Ｂとの間には、第１凸条部３４ａ、３５ａと第１凹溝部４４ａ、４５ａにより、互いに平行に延在する二本の間隙部Ｓが形成される。
【００６０】
したがって、収容部１１Ａから収容部１１Ｂへの高温空気の流れ出しをより確実に防ぐことができる。そして、外部から収容部１１Ａ、１１Ｂへの高温空気の流れ込みと、収容部１１Ａ、１１Ｂから外部への高温空気の流れ出しも防ぐことができる。したがって、保冷区画Ｒｃである収容部１１Ｂは、区画内の温度状態を長期に亘って保つことができ、保温区画Ｒｈである収容部１１Ａは、区画内の温度状態を長期に亘って保つことができ、より高い保温保冷効果を得ることができる。
【００６１】
本発明の内容は、上述の各実施の形態の構成に限定されるものではなく、本発明の趣旨を逸脱しない範囲で種々の変更が可能である。
【符号の説明】
【００６２】
１  多温度帯容器
２  容器本体
２ａ  上面
３  蓋体
１１Ａ、１１Ｂ  収容部
１２  隔壁
１３  上端面
２１  下面
２１ａ、２１ｂ  対向面
２２、２３  突起
３１、３２、３３、３４、３５  凸条部
３２ａ、３３ａ、３４ａ、３５ａ  第１凸条部
３２ｂ、３３ｂ、３４ｂ  第２凸条部
３３ｃ、３５ｂ  第３凸条部
４１、４２、４３、４４、４５  凹溝部
４２ａ、４３ａ、４４ａ、４５ａ  第１凹溝部
４２ｂ、４３ｂ、４４ｂ  第２凹溝部
４３ｃ、４５ｂ  第３凹溝部
Ｓ  間隙部
Ｒｈ  保温区画
Ｒｃ  保冷区画
【図１】
2015189477.tif 000004
【図２】
2015189477.tif 000005
【図３】
2015189477.tif 000006
【図４】
2015189477.tif 000007
【図５】
2015189477.tif 000008
【図６】
2015189477.tif 000009
【図７】
2015189477.tif 000010
【図８】
2015189477.tif 000011
【図９】
2015189477.tif 000012
【図１０】
2015189477.tif 000013
【図１１】
2015189477.tif 000014
【図１２】
2015189477.tif 000015
【図１３】
2015189477.tif 000016